(57)【要約】【課題】建物の緑化システムに適した生育状態のつる性植物を容易に育苗する。【解決手段】  本発明に係るつる性植物の育苗装置１は、多年生のつる性植物の苗が植えられたポットを列状に並べた状態で収納可能であって、培養液が循環するプランター４０と、複数のプランター４０が、ポットの並び方向とは交差する方向に間隔を空けて載置されると共に、隣り合うプランター同士の間に、苗が有するつるが通るための開口部２３が設けられた棚部２０と、床面Ｇまでの高さがつるの必要長さ以上となる位置で棚部２０を支持する脚部３０とを有する。【選択図】図１
2011139672.tif 000002
【特許請求の範囲】
【請求項１】
多年生のつる性植物の苗を育成する育苗装置であって、
前記苗が植えられたポットを列状に並べた状態で収納可能であって、培養液が循環するプランターと、
複数の前記プランターが、前記ポットの並び方向とは交差する方向に間隔を空けて載置されると共に、隣り合う前記プランター同士の間に、前記苗が有するつるが通るための開口部が設けられた棚部と、
床面までの高さが前記つるの必要長さ以上となる位置で前記棚部を支持する脚部と
を有することを特徴とするつる性植物の育苗装置。
【請求項２】
前記棚部よりも上側の位置に配置され、前記棚部を覆う屋根を有することを特徴とする、請求項１に記載のつる性植物の育苗装置。
【請求項３】
前記屋根は、
透光性を有する素材で構成されていることを特徴とする、請求項１又は２に記載のつる性植物の育苗装置。
【請求項４】
前記脚部は、
外筒部材と前記外筒部材に挿入される内筒部材とを有し、前記内筒部材を前記外筒部材に対して進退させることで全長を伸縮させる脚を有し、
前記棚部は、
前記脚の伸縮に応じて高さ位置が定められることを特徴とする請求項１から３の何れか１項に記載のつる性植物の育苗装置。
【請求項５】
前記棚部は、
ジャッキ装置によって上下方向に移動されることを特徴とする請求項４に記載のつる性植物の育苗装置。
【請求項６】
前記多年生のつる性植物が、ウコギ科のつる性植物であることを特徴とする、請求項１から５の何れか１項に記載の栽培装置。
【発明の詳細な説明】
【技術分野】
【０００１】
本発明は、多年生つる性植物の育苗装置に関する。
【背景技術】
【０００２】
近年、冷暖房エネルギーを抑制でき、二酸化炭素を吸収できることから、建物の屋根、屋上、壁面を緑化する建物の緑化システムが脚光を浴びている（例えば、特許文献１を参照）。
【先行技術文献】
【特許文献】
【０００３】
【特許文献１】特開２００６−２０５４２号公報
【発明の概要】
【発明が解決しようとする課題】
【０００４】
上記の緑化システムでは多年生のつる性植物が用いられるが、苗の状態のつる性植物を用いた場合、つる性植物が所望の面積を覆う程度に繁茂するまで長期間を要してしまうという問題がある。
【０００５】
そこで、ある程度つるが伸びるまで生育されたつる性植物の使用が考えられる。ここで、一般的な育苗のように地面に近いところで苗を育成した場合には、伸びたつるを地面に這わせることになり、育苗に広い面積が必要となってしまう。また、つる同士が絡んでしまったり、地面に接したつるから根が生えてしまったりすることもある。
【０００６】
本発明は、このような事情に鑑みてなされたものであり、その目的は、建物の緑化システムに適した生育状態のつる性植物を容易に育苗できるようにすることにある。
【課題を解決するための手段】
【０００７】
前記目的を達成するため、本発明は、多年生のつる性植物の苗を育成する育苗装置であって、前記苗が植えられたポットを列状に並べた状態で収納可能であって、培養液が循環するプランターと、複数の前記プランターが、前記ポットの並び方向とは交差する方向に間隔を空けて載置されると共に、隣り合う前記プランター同士の間に、前記苗が有するつるが通るための開口部が設けられた棚部とを有することを特徴とする。
【０００８】
本発明の育苗装置によれば、棚部にプランターを載置して育苗することで、プランターから伸びたつるは、棚部に設けられた開口部を通って垂下する。このとき、つるは下方に伸びようとするので、隣り合うつる同士が絡み合ってしまう不具合を抑制できる。また、つるが壁面や地面に接しないので、このつるから根が伸びてしまう不具合も抑制できる。
【０００９】
前述の育苗装置において、前記棚部よりも上側の位置に配置され、前記棚部を覆う屋根を設けた場合には、雨水がプランターに混入することを抑制できる。これにより、培養液の濃度が薄まったり、病原菌が混入してしまったりする不具合を抑制できる。
【００１０】
前述のつる性植物の育苗装置において、前記屋根を、透光性を有する素材で構成した場合には、つる性植物に日光をあてることができ、生育を促すことができる。
【００１１】
前述の育苗装置において、前記脚部には、外筒部材と前記外筒部材に挿入される内筒部材とを有し、前記内筒部材を前記外筒部材に対して進退させることで全長を伸縮させる脚を設け、この脚の伸縮に応じて棚部の高さ位置を定めるように構成した場合には、作業内容に応じて棚部の高さ位置を調整でき、作業性を向上させることができる。
【００１２】
前述の育苗装置において、前記棚部を、ジャッキ装置によって上下方向に移動されるように構成した場合には、棚部の高さ位置の調整が容易になる。
【００１３】
前述の育苗装置において、前記多年生のつる性植物が、ウコギ科のつる性植物である場合には、耐寒性や耐暑性に優れ、垂下性を有するので、建物の緑化を適切に行うことができる。
【発明の効果】
【００１４】
本発明のつる性植物の育苗装置によれば、建物の緑化システムに適した生育状態のつる性植物を容易に育苗できる。
【図面の簡単な説明】
【００１５】
【図１】第１実施形態の育苗装置を説明する図である。
【図２】育苗装置の構成を説明する斜視図である。
【図３】（ａ）は、プランター及び培養液の循環機構を説明する図である。（ｂ）は、プランターにおけるつる性植物の苗の状態を説明する断面図である。
【図４】つる性植物の苗を育てている状態を説明する斜視図である。
【図５】（ａ）は、つるが短いつる性植物を棚部に載置した状態を説明する図である。（ｂ）は、棚部に載置したつる性植物からつるが下垂した状態を説明する図である。
【図６】第２実施形態の育苗装置を説明する図であり、（ａ）は本体部の斜視図であり、（ｂ）は支柱の部分拡大図である。
【図７】ジャッキ装置の動作を模式的に説明する図である。
【発明を実施するための形態】
【００１６】
＝＝＝第１実施形態＝＝＝
図１に示す育苗装置１は、本体部１０とハウス部６０とを有する。本体部１０は、つる性植物の苗を育てるための部分であり、ハウス部６０は、本体部１０を外側から覆うことで風雨から苗を守るための部分である。この育苗装置１で育てられるつる性植物としては、多年生のものが用いられる。耐寒性及び耐暑性に優れ、また垂下性を有するという観点からウコギ科のつる性植物が好適に用いられる。ウコギ科のつる性植物としては、ヘデラ・ヘリックス、ヘデラ・アルジェニシス、ヘデラ・コルシカ、ヘデラ・ハイバニカ等が挙げられる。
【００１７】
図２にも示すように、本体部１０は、棚部２０と脚部３０とを有する。棚部２０は、プランター４０が載置される部分である。本実施形態の棚部２０は、平面視で長方形状の外観形状をしている。そして、複数の金属製パイプ２１を複数本並行に並べ、直交する方向に配置された他の金属製パイプ２２に固定することで構成されている。
【００１８】
この棚部２０には、複数のプランター４０が横並びに配置されている。このプランター４０は、図３に示すように、つる性植物４６の苗が植えられたポット４１を列状に並べた状態で収納する部材であり、上面が開放された直方体状部材によって構成されている。プランター上面における短辺側の長さは、１つのポット４１が収納可能な程度とされ、長辺側の長さは多数のポット４１を収納可能な程度とされる。例えば、プランター４０は、短辺側の長さが５〜１０ｃｍ、長辺側の長さが１〜３ｍ、深さが５〜１０ｃｍ程度の直方体状部材によって構成されている。
【００１９】
このプランター４０には、つる性植物４６を培養するための培養液（液肥）が供給される。この実施形態では、床面Ｇ付近に設置した培養液タンク４２と棚部２０に載置されたプランター４０との間で培養液が循環される。このため、プランター４０の長手方向の一端部と培養液タンク４２とを供給管４３で接続するとともに、プランター４０の長手方向他端部と培養液タンク４２とを排出管４４で接続する。そして、供給管４３の途中に設けた培養液ポンプ４５により、培養液タンク４２に貯留された培養液をプランター４０に汲み上げ、プランター４０内の余剰の培養液を、排出管４４を通じて培養液タンク４２に戻している。
【００２０】
図５に示すように、プランター４０同士は、棚部２０の上に間隔を空けて配置されている。すなわち、複数のプランター４０が、ポット４１の並び方向とは交差する方向に間隔を空けて載置されている。そして、隣り合うプランター４０同士の間には開口部２３が設けられている。本実施形態では、プランター４０の長辺側側面に沿って配置される金属製パイプ２１，２１同士の間が開口部２３に相当する。この開口部２３は、プランター４０内のポット４１を取り出す際に、作業者の手を入れたり、ポット４１を通過させたりするために用いられる。また、ポット４１に植えられたつる性植物４６のつるは、この開口部２３を通って棚部２０の下方に垂れ下がる。
【００２１】
図１及び図２に示すように、脚部３０は、床面Ｇから所定高さの位置に棚部２０を支持する部材であり、本実施形態では、棚部２０における各コーナーやコーナー同士の間に立設された複数の金属製パイプ３１と、水平方向に配置されてこれらの金属製パイプ３１の下端を固定する他の金属製パイプ３２によって構成されている。この脚部３０によって、棚部２０と床面Ｇとの間には、つる性植物４６のつるが伸びるために十分な距離が確保される。本実施形態では、例えば床面Ｇから１．８ｍの高さとなるように棚部２０が支持されている。
【００２２】
また、本実施形態では、棚部２０の下方に培養台５０を設けている。この培養台５０は、つる性植物４６を挿し木により発根させる際に、挿し木にした状態のポット４１を載置するものである。本実施形態において、培養台５０は、矩形状の天板５１と、この天板５１の４隅に取り付けられた脚５２とを有している。この培養台５０では、床面Ｇから数十ｃｍの高さ（すなわち人の膝程度の高さ）に、天板５１が位置付けられる。
【００２３】
次に、ハウス部６０について説明する。図１及び図２に示すように、ハウス部６０は、壁部６１と屋根６２とを有している。壁部６１は、本体部１０の周りを囲む状態で設けられており、骨組み６３に透明なビニールシート６４を取り付けることで構成されている。屋根６２は、棚部２０よりも上側に配置され、壁部６１と同様に骨組み６５に透明なビニールシート６６を取り付けることで構成されている。
【００２４】
要するに、この実施形態のハウス部６０は、いわゆるビニールハウスのように構成されている。これにより、育苗中のつる性植物４６に日光を照射しつつ、このつる性植物４６が風雨にさらされてしまうことを抑制できる。その結果、病原菌の繁殖等に起因する発病や生育不良を抑制できる。
【００２５】
なお、ハウス部６０に関し、ビニールシートに代えて、透明ガラス板や透明樹脂板を用いてもよい。また、壁部６１や屋根６２を木材等の遮光性材料で構成し、人工太陽光を照射する照明部を設けてもよい。
【００２６】
特に、ビニールシート、透明ガラス板、透明樹脂板といった非透水性であって透光性を有する素材で屋根６２を構成した場合には、つる性植物４６に日光をあてることができ、生育を促すことができる。
【００２７】
次に、上記の育苗装置１を用いたつる性植物４６の育苗について説明する。図４に示すように、この育苗装置１では、培養台５０に載置したポット４１でつる性植物４６を発根させる。発根に際しては、種子が植えられたポット４１に対して定期的な散水が行われるが、前述したように培養台５０の高さは人の膝程度であるため、作業に際して腰を過度に曲げずに済み、作業負担の軽減が図れる。また、培養台５０が人の膝程度の高さであることから、棚部２０との間にはつるの生育に必要とされる十分な高さを確保できる。このため、棚部２０よりも下側の空間を有効に活用できる。
【００２８】
つる性植物４６が発根し、根付いたならば、ポット４１を棚部２０上のプランター４０内にセットする。このとき、作業者は、脚立を用いてポット４１をセットする。すなわち、作業者は、棚部２０よりも下の位置からポット４１を持ち上げ、棚部２０の開口部２３を通過させる。そして、ポット４１をプランター４０よりも上側に位置させた後、プランター４０内にセットする。
【００２９】
ここで、本実施形態では、培養台５０に載置されたポット４１をプランター４０にセットするので、作業性を高めることができる。例えば、一人で作業する場合には、脚立上での移動距離を少なくできる。また、二人で作業する場合には、下側の作業者が培養台５０の上に乗ることで、脚立上の作業者との距離を狭めることができ、楽な体制でポット４１をプランター４０にセットできる。
【００３０】
プランター４０にポット４１をセットしたならば、つるが十分伸びるまでつる性植物４６を生育させる。このとき、ポット４１に植えられたつる性植物４６に栄養を与えるが、本実施形態の育苗装置１では、培養液ポンプ４５を動作させて培養液を循環させているので、容易に栄養を与えることができる。また、本体部１０がハウス部６０に覆われているので、プランター４０内の培養液が雨水によって希釈されてしまう不具合を抑制でき、生育の管理が容易になる。
【００３１】
ポット４１に植えられたつる性植物４６のつるは、生育するにつれて伸びる。例えば、図５（ａ）に示すように、プランター４０にセットされた直後において、つる性植物４６のつるは、棚部２０よりも上側に位置している。その後、生育するにつれてつる性植物４６のつるは下向きに伸び、図５（ｂ）に示すように、棚部２０の開口部２３を通って垂れ下がる。このとき、前述した多年生のつる性植物４６は、空中だと根を生やさないという性質を有しているので、根を生やさずに所定の長さまでつるが伸びたつる性植物４６を容易に育てることができる。
【００３２】
そして、所望の長さまでつるが伸びたならば、作業者は、プランター４０からポット４１を取り外し、このつる性植物４６を建物の緑化に用いる。
【００３３】
＜まとめ＞
以上説明したように、第１実施形態の育苗装置１では、多年生のつる性植物４６の苗が植えられたポット４１を列状に並べた状態で収納可能であって、培養液が循環するプランター４０と、複数のプランター４０が、ポット４１の並び方向とは交差する方向に間隔を空けて載置されると共に、隣り合うプランター４０同士の間に、苗が有するつるが通るための開口部２３が設けられた棚部２０とを有している。これにより、棚部２０にプランター４０を載置してつる性植物４６を育苗することで、プランター４０から伸びたつるは、棚部２０に設けられた開口部２３を通って垂下する。このとき、つるは下方に伸びようとするので、隣り合うつる同士が絡み合ってしまう不具合を抑制できる。また、つるが壁面や地面に接しないので、このつるから根が伸びてしまう不具合も抑制できる。
【００３４】
また、この育苗装置１では、棚部２０よりも上側の位置に配置され、棚部２０を覆う屋根６２を設けているので、雨水がプランター４０に混入することを抑制できる。これにより、培養液の濃度が薄まったり、雑菌が混入してしまったりする不具合を抑制できる。さらに、この屋根６２を、ビニールシートのように、非透水性であって透光性を有する素材で構成しているので、つる性植物４６に日光をあてることができ、生育を促すことができる。  
また、多年生のつる性植物４６として、耐寒性や耐暑性に優れ、垂下性を有するウコギ科のつる性植物を用いているので、建物の緑化を適切に行うことができる。
【００３５】
＝＝＝第２実施形態＝＝＝
前述の第１実施形態では、棚部２０に載置されたプランター４０にポット４１をセットする場合、作業者は、脚立に乗った状態で作業をすることになる。同様に、建物の緑化に用いるため、生育したつる性植物４６を育苗装置１から外す場合にも、作業者は、脚立に乗った状態で作業をすることになる。ここで、脚立を用いた高所作業は、地上作業に比べて作業性が損なわれてしまう。
【００３６】
第２実施形態は、このような事情に鑑みてなされたものであり、第１実施形態の特徴はそのままに、作業性を向上させることを目的として改良を加えたものである。以下、第２実施形態について、第１実施形態との相違点を中心に説明をする。
【００３７】
第２実施形態の育苗装置１は、本体部１０´の構成に特徴を有する。すなわち、図６（ａ）に示すように、本体部１０´は、上側本体部１０Ａと下側本体部１０Ｂとを有しており、上側本体部１０Ａを下側本体部１０Ｂに対して上下方向に移動させることで、上側本体部１０Ａが有する棚部２０の高さを設定している。
【００３８】
具体的に説明すると、第２実施形態では、図６（ａ）に示すように、第１実施形態の金属製パイプ３１に代わる脚３３を、外筒部材３３ａと、この外筒部材３３ａに挿入される内筒部材３３ｂとによって構成し、内筒部材３３ｂを外筒部材３３ａに対して進退させることで、全長を伸縮させるようにしている。また、外筒部材３３ａの上端部には、外筒部材３３ａの半径方向に進退可能な固定ねじ３３ｃを設けている。そして、固定ねじ３３ｃを緩めることで内筒部材３３ｂの外筒部材３３ａに対する移動を許容し、固定ねじ３３ｃを締め込むことで内筒部材３３ｂを外筒部材３３ａに対して固定する。そして、上側本体部１０Ａは、棚部２０と内筒部材３３ｂとを含んで構成され、下側本体部１０Ｂは、外筒部材３３ａと固定ねじ３３ｃと他の金属製パイプ３２とを含んで構成されている。
【００３９】
なお、棚部２０と共にプランター４０が上下方向に移動することから、本実施形態における供給管４３及び排出管４４（図３を参照）は、可撓性を有するとともに長さに多少の余裕を持たせた樹脂性ホースが用いられている。これにより、プランター４０が上下方向に移動しても、培養液を循環させることができる。
【００４０】
本実施形態では、棚部２０を上下方向に移動させるための油圧式のジャッキ装置７０が設けられている。このジャッキ装置７０は、下端部が床面Ｇに載置され、上端部が棚部２０の下面に当接している。そして、油圧で作動することにより、伸長時の全長が育苗時における棚部２０の必要高さ以上となり、収縮時の全長がポット４１の着脱時における棚部２０の必要高さ以下になる。また、プランター４０やポット４１を載せた状態の棚部２０を上昇させるのに十分な力を発生する。このため、固定ねじ３３ｃを緩めた状態でジャッキ装置７０を伸長させることで、図７（ａ）に示すように、棚部２０を上方側の育苗高さ（例えば１．８ｍ）に位置付けることができる。一方、固定ねじ３３ｃを緩めた状態でジャッキ装置７０を収縮させることで、図７（ｂ）に示すように、棚部２０を下方側の作業高さ（例えば１．０ｍ）に位置付けることができる。
【００４１】
従って、この育苗装置１を用いてつる性植物４６を育苗する場合には、まず、固定ねじ３３ｃを緩めた状態でジャッキ装置７０を収縮させ、棚部２０を作業高さに位置付ける。そして、棚部２０が作業高さに位置付けられた状態で、根付いた状態のつる性植物４６が植えられたポット４１をプランター４０にセットする。ポット４１をプランター４０にセットしたならば、棚部２０を育苗高さまで移動させる。すなわち、ジャッキ装置７０を伸長させて棚部２０を育苗高さまで上昇させる。棚部２０が育苗高さに達したら、固定ねじ３３ｃを締め込み、棚部２０が降りてこないように固定する。そして、つる性植物４６が十分に生育したならば、棚部２０を作業高さに位置付けてつる性植物４６をポット４１ごと取り外し、新しいポット４１をセットする。
【００４２】
このように、第２実施形態の育苗装置１では、脚３３の伸縮状態に応じて棚部２０の高さ位置が定められるように構成している。これにより、作業内容に応じて棚部２０の高さ位置を調整でき、作業性を向上させることができる。すなわち、ポット４１のセットや取り外しを下方側の作業高さで行い、つる性植物４６の育苗を上方側の育苗高さで行うことができる。これにより、ポット４１のセットや取り外しを、脚立を使うことなく、床面Ｇに立った状態で行うことができ、作業性の向上が図れる。また、この育苗装置１では、ジャッキ装置７０によって棚部２０を上下方向に移動しているので、棚部２０の高さ位置の調整を容易に行える。
【００４３】
＝＝＝その他の実施形態＝＝＝
前述した実施形態は、本発明の理解を容易にするためのものであり、本発明を限定して解釈するためのものではない。本発明は、その趣旨を逸脱することなく変更、改良されると共に、本発明にはその等価物も含まれる。
【００４４】
棚部２０や脚部３０に関し、前述の実施形態では円筒状の金属製パイプ２１，２２，３１，３２が用いられていたが、これに限定されない。例えば、アルミニウム製の角筒部材であってもよいし、プラスティック製の筒状部材であってもよい。また、木材を用いてもよい。
【００４５】
また、棚部２０に関し、前述の各実施形態では、一対の金属製パイプ２１，２１の間にプランター４０を配置することでプランター４０を支持していたが、この構成に限定されない。例えば、プランター４０が載置される部分を板材で作成してもよい。この場合、隣り合う板材同士を、間隔を空けて配置することで、板材同士の間に開口部を形成できる。そして、この開口部を用いて、ポット４１を移動させたり、つるを下垂させたりできる。
【００４６】
また、ジャッキ装置７０に関し、第２実施形態では油圧式のものを例示したが、油圧以外のものであってもよい。なお、ジャッキ装置７０は必要に応じて設ければよい。例えば、上側本体部１０Ａを、人力によって上下方向へ移動させてもよいし、ハンドウインチによって上下方向へ移動させてもよい。
【符号の説明】
【００４７】
１  育苗装置，１０  本体部，１０´  本体部，１０Ａ  上側本体部，１０Ｂ  下側本体部，２０  棚部，２１  金属製パイプ，２２  他の金属製パイプ，３０  脚部，３１  金属製パイプ，３２  他の金属製パイプ，３３  脚，３３ａ  外筒部材，３３ｂ  内筒部材，３３ｃ  固定ねじ，４０  プランター，４１  ポット，４２  培養液タンク，４３  供給管，４４  排出管，４５  培養液ポンプ，４６  つる性植物，５０  培養台，５１  天板，５２  脚，６０  ハウス部，６１  壁部，６２  屋根，６３  骨組み，６４  ビニールシート，６５  骨組み，６６  ビニールシート，７０  ジャッキ装置，Ｇ  床面
【図１】
2011139672.tif 000003
【図２】
2011139672.tif 000004
【図３】
2011139672.tif 000005
【図４】
2011139672.tif 000006
【図５】
2011139672.tif 000007
【図６】
2011139672.tif 000008
【図７】
2011139672.tif 000009